(57)【要約】      （修正有）【課題】男性の股間周辺に発生する異臭を軽減する芳香消臭剤収容器を提供する。【解決手段】芳香消臭成分の放出用通気孔４を有するカプセル１と該カプセルを着脱可能な男性器装着具２とが一体化した器具で、該カプセル１の形状は円筒型又は球体型及びその複合型とする。【選択図】図１
0003210890.tif 000002
【実用新案登録請求の範囲】
【請求項１】
芳香消臭成分の収容器と該収容器を保持できる構造の男性器装着具とが一体となる事を特徴とする男性器装着具と一体化した芳香消臭剤収容器。
【請求項２】
請求項１に記載の収容器は円筒胴体部と蓋部からなる円筒型カプセルであって該円筒胴体部に芳香消臭成分の通気孔を有する構造であり円筒胴体部は、強磁性ステンレス鋼からなることを特徴とする男性器装着具と一体化した芳香消臭剤収容器。
【請求項３】
請求項１に記載の収容器の形態であって該収容器の形状は半球と半球を上下に重ねた形状の球体で該球体の下部が収容部をなし該収容器は強磁性ステンレス鋼を素材とし、片一方の球体上部は蓋をなし該蓋頂点面に芳香消臭成分の通気孔を有し該蓋部は非磁性ステンレス鋼素材であり収容部と蓋部が物理的に接合及び分離されることを特徴とする男性器装着具と一体化した芳香消臭剤収容器。
【請求項４】
請求項１記載の収容器の形態であって該収容器の形状は円筒胴体と該胴体を挟む両側の蓋の形状が変形した半球の形状であって該円筒胴体部に芳香消臭成分の通気孔を有する構造であり円筒胴体部は、強磁性ステンレス鋼からなることを特徴とする男性器装着具と一体化した芳香消臭剤収容器。
【請求項５】
請求項１に記載の男性器装着具は、磁力で保持できる構造の男性器装着具であり該装着具を装着する男性器の位置は男性器亀頭部環状溝または男性器の付け根付近に装着することを特徴とする男性器装着具と一体化した芳香消臭剤収容器。
【請求項６】
男性器に装着する器具を構成するチューブに芳香消臭成分の通気孔を有した構造を特徴とする男性器装着具と一体化した芳香消臭剤収容器。
【請求項７】
請求項１から請求項６において収容器に収容する内容物は芳香成分、消臭成分、アロマ成分で、ゲル状又は顆粒状又は個体又は液体の物質からなり液体物質を使用する場合は液体吸収パッドを入れることを特徴とする男性器装着具と一体化した芳香消臭剤収容器。
【請求項８】
既存の製品の男性器装着具に組み込む専用のカプセルホルダーで伸縮性のある合成樹脂の素材からなりその形状はＵ字とΛ字を組み合わせた変形Ｘ字型で下部Λを男性器装着具に取り付け上部Ｕ字に請求項２、請求項３、請求項４のカプセルを保持することを特徴とする男性器装着具と一体化した芳香消臭剤収容器。
【請求項９】
芳香消臭成分を収容し放出する合成樹脂又は金属製のカプセルと、柔軟性の有る合成樹脂製の該カプセル保持部と、合成樹脂製、ゴム製、金属製又は繊維製で、Ｏ字状、Ｃ字状、テープ状又は紐状の既存の男性器装着具の該装着具保持部とを一体成形又は接合で一体化する事を特徴とする男性器装着具と一体化した芳香消臭剤収容器。
【考案の詳細な説明】
【技術分野】
【０００１】  本考案は、男性の股間周辺に発生する異臭を軽減する装着具に関するものである。
【背景技術】
【０００２】  従来、男性の股間周辺に発生する異臭を軽減するために芳香消臭対策を施した男性用のエチケットパンツや、高齢者並びに要介護者、要支援者用の特殊パンツ類に関する先行技術が多数公開され商品化されているがこれら異臭の発生は、尿漏れ、便漏れ等によるものが主な要因となっている。【０００３】  しかしながら、尿漏れ便漏れの自覚のない男性の股間にも異臭が発生する。その発生源は包皮で覆われた亀頭部に付着する恥垢あるいは恥垢と発汗の相互作用によるものが多いとされることから、入浴時に男性器を清潔にすることと、先行技術の包皮が亀頭に被さらない様に剥いた状態を保持する包茎矯正器具等の装着で異臭対策としていた。
【先行技術文献】
【特許文献】
【０００４】
【特許文献１】実願２０１４−１７７６（Ｕ２０１４−１７７６）
【特許文献２】実願２０１０−３２８１（Ｕ２０１０−３２８１）
【特許文献３】実用新案登録第３２００１７８号（Ｕ３２００１７８）
【特許文献４】特開２０１４−１８０３２２（Ｐ２０１４−１８０３２２Ａ）
【考案の概要】
【考案が解決しようとする課題】
【０００５】  包皮を剥いた状態で保持するだけでは異臭の発生を軽減するのに限界があり、男性が消臭スプレー、芳香スプレー等を携帯することにも抵抗があった。そこで本考案は、以上の様な背景を解決するため、異臭軽減に効果のある物質の収容器と、恥垢の発生を阻止する効果のある包茎矯正器具等の男性器装着具とを一体化した装着具の提供を課題とする。
【課題を解決するための手段】
【０００６】  上記課題を解決する為に、請求項１の考案では、男性器股間周辺で発生する異臭を軽減する手段として、芳香消臭成分を放出する通気孔を有する収容器と該収容器を磁力又はホルダーで保持する男性器装着具とを一体化した構造であって該男性器装着具の特徴は、永久磁石を組み込んだ構造の器具で該器具の通称名は包茎器具又は包茎矯正器具、ペニスリングともいわれる。該男性器装着具と該収容器は着脱可能となる。【０００７】  請求項２記載の考案にあっては、請求項１記載の収容器本体の形状が円筒型カプセルであり、収容物の入れ替えをするための出し入れ口としてネジ込み式の蓋を有する構造が特徴である。尚、カプセルの円筒胴体の素材は強磁性であり前述の男性器装着具の磁石に吸着保持される事が特徴である。逆に蓋部分は磁石に吸着させないため非磁性体の金属又は金属以外の素材が望ましい。【０００８】  請求項３記載の考案にあっては、請求項１記載の収容器本体の形状が球体カプセルであり、その構造は半球と半球を重ね球体とした構造であり、球体下部の半球が収容器で上部が蓋をなし該収容器の接続部外周と該蓋の接続部内周に３〜４のネジ山を設けた構造であり、収容器と蓋をネジ込み保持し球体をなす構造である。【０００９】  該球体カプセルは、該蓋を取り外して芳香消臭剤の入れ替え可能な構造で、該収容器の素材は強磁性の合金で男性器装着具の磁石に吸着保持する構造であり、通気孔のある蓋部は非磁性体の合金からなり磁石が吸着しない事が特徴である。この２種類の組み合わせの球体カプセルが男性器装着具に吸着保持するとき常に収容部が該男性器装着具に吸着することから、装着して動き回っても通気口が下向きにならない。【００１０】  請求項４記載の考案にあっては、円筒胴体の両側を変形した形状の半球体の蓋で挟む構造となり、収容物の入れ替えには半球体の蓋を開閉する構造が特徴である。円筒形状本体は磁石に吸着する強磁性、側面の半球体は磁石に吸着しない非磁性体である。【００１１】  請求項５記載の考案にあっては、保持する男性器装着具は、磁石を組み込んだ構造の包茎器具または、ペニスリングであり、該男性器装着具を装着する位置は亀頭環状溝あるいは陰茎の付け根いずれを特定するものではない。【００１２】  請求項６記載の考案については、既存の男性器に装着する器具において中空チューブを主な構成部材としている包茎器具又はペニスリングの該チューブを、芳香消臭剤を収容する容器として兼用し該チューブに芳香消臭成分の通気孔を設ける。【００１３】  請求項７記載にあっては、請求項１から請求項６において収容器にいれる内容物は芳香成分又は消臭成分あるいはアロマ成分あるいは、芳香剤と消臭剤とアロマ成分の混合成分であり前記内容物は揮発性成分を有する液体又は、個体、ゲル状体、顆粒の物質である。【００１４】  請求項８記載は、男性器装着具にカプセルを保持する手段としてカプセルホルダーを男性器装着具に組み込み該カプセルを保持することを特徴としたものである。【００１５】  請求項９記載の方法では、金属製又は合成樹脂製のカプセルと、先行技術の男性器装置具とをカプセルホルダーで接合又は一体成形する事で解決を図った。
【考案の効果】
【００１６】  以上の説明から明らかなように、本考案にあっては次に列挙する効果が得られる。
先ず、芳香消臭剤収容器を男性器装着具に取り付ける股間周辺の温度環境は人体温であることから、装着中は終日人体温が保たれているので外気温に左右されず安定して芳香消臭成分が発生し、男性の股間付近に漂う異臭を軽減する効果がある。【００１７】  又、該芳香消臭剤収容器と一体となった装着具は男性器の亀頭を露出して男性器を装着することがら亀頭部に恥垢の付着を抑える効果がある。更に本考案は着脱可能なカプセル収容器であることからカプセル収容器を外して男性器装着具を適宜水洗いできるので常に清潔な状態で使用できる効果がある。
【図面の簡単な説明】
【００１８】
【図１】男性器の亀頭環状溝に装着した男性器装着具と芳香消臭剤の入ったカプセルとが一体化した本考案全体の概要の斜視図である。
【図２】本体の形状が円筒型カプセルで円筒胴体部と蓋部を分離した斜視図である。
【図３】本体の形状が球体型カプセルで容器部と蓋部を分離した断面図である。
【図４】斜線部分が強磁性の合金からなる円筒胴体部の両側に変形半球体を取り付けた形状のカプセルの斜視図である。
【図５】斜線部分の強磁性合金製のカプセルが磁石に吸着した本考案の球体型カプセルと男性器装着具と一体化した実施例の概要の斜視図である。
【図６】男性器装着具本体のチューブの中に芳香消臭成分を入れ該チューブに通気孔を有した本考案の実施例の概要の斜視図である。
【図７】本考案の円筒カプセルがカプセルホルダーで保持されて男性器装着具のチューブの中にカプセルホルダーの足を差し込んで保持している実施例概要の正面図である。
【図８】合成樹脂製Ｃ字状既存の男性器装着具と一体化したカプセルの正面図である。
【図９】芳香消臭剤の入った金属製カプセルを既存Ｕ字状男性器装着具の両先端部磁石に挟んだ様子を正面から見た概略図である。
【考案を実施するための形態】
【００１９】  以下本考案を実施するための形態を図面に基づき説明する。尚、以後の説明用語において永久磁石を単に磁石と呼称し、図面上での磁石は輪郭線の内部をぬりつぶした表示とし、併せて強磁性合金はハッチングの表示をしてあるが、図３のハッチングは断面図の為断面をハッチングしてある。また、中空のチューブは単にチューブと呼称する。尚、実施例の説明において寸法等を示すが、これは一例でありこれらの寸法に限定される物ではない。
【実施例１】
【００２０】  図１は請求項１及び請求項２並びに請求項５における芳香消臭剤の収容器付き男性器装着具の実施例１として、芳香消臭剤を収容するカプセル（１）を磁石（６）で保持する男性器装着具（２）とが一体となり男性器（３）に装着し保持した図であって適宜カプセル（１）と男性器装着具（２）とが着脱できる請求項５をも説明した実施例の斜視図である。【００２１】  図に示す様に、収容カプセル（１）の上面には通気孔（４）があり、収容した芳香消臭成分が通り抜け拡散する。また、蓋表面にはコインはめ込み溝（５）が彫ってあるのでコインを宛がって回し蓋（８）を開け閉めする構造である。
【実施例２】
【００２２】  次に図２は請求項２の円筒型カプセルの実施例である。本考案の実施素材の一例として、用いる合金は、錆びにくい特性と合わせて強磁性の特性を持つＪＩＳ規格のＳＵＳ４３０ステンレス材の直径１２ｍｍの丸棒を長さ１１ｍｍの円柱に切断した後、円筒底面２ｍｍ残し内径８ｍｍの円筒に切削加工し該円筒胴体（７）表面は研磨仕上げとする。【００２３】  次に、円筒胴体（７）に芳香剤等が気化もしくは昇華して拡散できる通気孔（４）を胴体（７）の側面の天面に直径２ｍｍの穴で７個設けた。尚、穴の配置についてはデザイン性を考慮し、ひし形に配列したが、配列はこの限りではない。【００２４】  次にネジ込んで蓋が出来るよう円筒の入り口の内面と蓋（８）の外周に３〜４個のネジ山（９）を切削加工する。ネジ山とネジ山の間隔は０，６ｍｍとする。この蓋の外側に当たる面には、蓋の取り外しを容易にするためコインはめ込み溝（５）を設けた。図の実施例ではコインはめ込み溝はデザイン性を持たせ縦横斜めの３本の溝を彫ってある。
【実施例３】
【００２５】  図３は請求項３の実施例であって、半球と半球を重ね球体となす構造の断面図である。本考案の素材として、請求項１同様の強磁性の特性を持つＪＩＳ規格のＳＵＳ４３０ステンレス丸棒直径１２ｍｍを長さ８ｍｍに切断した素材を、図の収容部の様な形状に切削加工しその表面は光沢仕上げとする。【００２６】  図にあるネジ山（９）のピッチは０，６ｍｍでこのネジ山は次に述べる蓋部（１１）のネジ山とかみ合い一体となって球型カプセルを構成するためのネジ山である。尚、この半球型収容部（１０）は強磁性で磁石が吸着する。【００２７】  次に非磁性の特性を持つＪＩＳ規格のＳＵＳ３０５ステンレス丸棒直径１２ｍｍを長さ６ｍｍに切断した円柱棒を、図の様に収容部（１０）に被せる蓋（１１）となす形状に切削加工する。蓋部の頂点面に直径２ｍｍの通気孔（４）を４個切削加工する。蓋部は非磁性のため磁石が吸着しない。【００２８】  この半球型収容部に芳香消臭剤を収容し半球型蓋部とを重ねネジ込むと直径１２ｍｍの球型カプセルをなすのが特徴である。該カプセルを男性器装着具の磁石に吸着さすと常に収容部が磁石に保持されている。
【実施例４】
【００２９】  図４は請求項４記載の考案であって円筒胴体（７）と変形半球体を組み合わせた形状のカプセルであり該胴体の両側を該変形半球体の蓋（１１）で挟む構造となり芳香消臭剤を本カプセルへ収容するには半球体の蓋を開閉して入れる。該胴体は前述の磁石に吸着する強磁性の素材であり、側面の半球体は磁石に吸着しない非磁性体の素材である。尚、実施に当たっては、円筒胴体部は実施例２に準じ、変形半球部は実施例３に準じる。
【実施例５】
【００３０】  図５は実施例３で述べた球型カプセルを男性器装着具（２）と一体化した斜視図である。図に示したハッチング部の球体カプセル収容部（１０）は強磁性体につき磁石に吸着し、蓋（１１）は非磁性体の為磁石に吸着しないため、常に図の様な状態を保つ。
【実施例６】
【００３１】  図６は請求項６の実施例を示している。この特徴は図にあるような通気孔（６）を規則正しく設けそのチューブの中に芳香消臭剤を入れる構造の実施例である。通気孔の大きさは２ｍｍとしたがそれ以上は好ましくない。小さい穴は１ｍｍ前後でも良く収容する顆粒の大きさで決めればよい。収容する物質は人体に影響のない物質に限る。
【実施例７】
【００３２】  実施例７は請求項７記載の請求項１から請求項６においてカプセルにいれる内容物は芳香成分又は消臭成分あるいはアロマ成分あるいは、芳香剤と消臭剤とアロマ成分の混合成分であり前記内容物は揮発性成分を有する液体、個体、ゲル状体、顆粒の物質である。
【実施例８】
【００３３】  図７は請求項８の実施例であって、請求項１、２、３による芳香消臭剤カプセル（１）を直接保持する合成樹脂製のカプセルホルダー（１２）を男性器装着具のチューブ内に差し込んで取り付け固定し、カプセル（１）をホルダー（１２）に組み込むことを特徴としている。この方法により使用中はカプセル（１）を保持しているが、男性器装着具を洗浄する時はホルダー（１２）からカプセル（１）を容易に外すことができる構造である。図で示すように形状は変形Ｘ字状で下部Λ字状を男性器装着具に差し込んで取り付け上部Ｕ字状にカプセルを保持することができる。
【実施例９】
【００３４】  図８は請求項９の実施例であって、芳香消臭成分を収容し放出する合成樹脂製カプセル（１３）と、柔軟性の有る合成樹脂製の該カプセル保持部（１４）と、合成樹脂製で、Ｃ字状の既存の男性器装着具保持部（１５）とを後付けで接合して男性器装着具と一体化した芳香消臭剤収容器を示している。【００３５】  前述の実施例とは別の実施例として請求項９に基づいて記述すると、先ず、芳香消臭成分を収容し放出する金属製のカプセルと、柔軟性の有る合成樹脂製のカプセル保持部（１４）と、ゴム製で、Ｏ字状の既存の男性器装着具保持部（１５）とを一体成形又は接合で一体化する事を特徴とする男性器装着具と一体化した芳香消臭剤収容器とすることができる。【００３６】  次に、芳香消臭成分を収容し放出する金属製のカプセルと、柔軟性の有る合成樹脂製の保持部と、金属製で、テープ状の既存の男性器装着具保持部とを一体成形又は接合で一体化する事を特徴とする男性器装着具と一体化した芳香消臭剤収容器がある。【００３７】  そして、芳香消臭成分を収容し放出する金属製のカプセルと、柔軟性の有る合成樹脂製の保持部と、繊維製で紐状の既存の男性器装着具保持部とを一体成形又は接合で一体化する事を特徴とする男性器装着具と一体化した芳香消臭剤収容器がある。【００３８】  更に、各組み合わせは請求項に記載の範囲及び記載以外の組み合わせによっても既存の男性器装着具保持部と一体成形又は接合で一体化する事ができて男性器装着具と一体化した芳香消臭剤収容器として実施できる。【００３９】  図９は請求項９の実施２例目を示した図で、芳香消臭剤の入った金属製カプセル（１６）を既存男性器装着具のＵ字状両先端部の磁石部分（１７）に挟んだ様子の正面図である。金属製カプセルは実施例２記載の方法あるいは形状を小型にすることもできる。【００４０】  図８及び図９における円筒型カプセルの向きは図では陰茎に対して横向きになる配置であるが、装着時陰茎に対して縦向き、つまり陰茎と平行になる方向で実施できる。
【産業上の利用可能性】
【００４１】  本考案は、男性の股間の異臭を軽減するための分野の器具で、現在公開されている技術の男性器装着具の通称、包茎器具、仮性包茎リング、仮性包茎矯正グッズ、ペニスリング等に本考案の芳香消臭カプセルを組み込むか一体形成すれば、男性股間周辺の異臭対策の利用ができる。更にはカプセルに輪状の金具を取り付けその輪の中にネックレス用のチェーンを通して、胸元にネックレスとして使用すれば体臭軽減装置として利用できる。
【符号の説明】
【００４２】１、芳香消臭剤を収容するカプセル
２、男性器装着具
３、男性器
４、通気孔
５、コインはめ込み溝
６、永久磁石
７、円筒胴体部
８、カプセル用ネジ込み型の蓋
９、ネジ山
１０、半球体型カプセル収容部
１１、半球体型カプセル蓋
１２、カプセルホルダー
１３、合成樹脂製カプセル
１４、カプセル保持部
１５、男性器装着具保持部
１６、金属製カプセル
１７、先端部磁石
【図１】
0003210890.tif 000003
【図２】
0003210890.tif 000004
【図３】
0003210890.tif 000005
【図４】
0003210890.tif 000006
【図５】
0003210890.tif 000007
【図６】
0003210890.tif 000008
【図７】
0003210890.tif 000009
【図８】
0003210890.tif 000010
【図９】
0003210890.tif 000011
【手続補正書】
【提出日】平成29年3月22日(2017.3.22)
【手続補正１】
【補正対象書類名】実用新案登録請求の範囲
【補正対象項目名】全文
【補正方法】変更
【補正の内容】
【実用新案登録請求の範囲】
【請求項１】
芳香消臭成分の収容器と該収容器を保持できる構造の男性器装着具とが一体となる事を特徴とする芳香消臭剤収容器。
【請求項２】
前記の収容器は円筒胴体部と蓋部からなる円筒型カプセルであって該円筒胴体部に芳香消臭成分の通気孔を有する構造であり円筒胴体部は、強磁性ステンレス鋼からなることを特徴とする請求項１に記載の芳香消臭剤収容器。
【請求項３】
前記の収容器の形態であって該収容器の形状は半球体と半球体を上下に重ねた形状の球体カプセルで該球体の下部が収容部をなし該収容器は強磁性ステンレス鋼を素材とし、片一方の球体上部は蓋をなし該蓋頂点面に芳香消臭成分の通気孔を有し該蓋部は非磁性ステンレス鋼素材であり収容部と蓋部が物理的に接合及び分離されることを特徴とする請求項１に記載の芳香消臭剤収容器。
【請求項４】
前記の収容器の形態であって該収容器の形状は円筒胴体と該胴体を挟む両側の蓋の形状が変形した半球体カプセルで該円筒胴体部に芳香消臭成分の通気孔を有する構造であり円筒胴体部は、強磁性ステンレス鋼からなることを特徴とする請求項１に記載の芳香消臭剤収容器。
【請求項５】
前記の男性器装着具は、磁力で保持できる構造の男性器装着具であり該装着具を装着する男性器の位置は男性器亀頭部環状溝または男性器の付け根付近に装着することを特徴とする請求項１に記載の芳香消臭剤収容器。
【請求項６】
中空チューブ構造の男性器に装着する器具において、該チューブは中空の中に芳香消臭成分を直接収容できる構造と、該収容物の揮発成分の通気孔とを複数有した構造からなる事を特徴とする芳香消臭剤収容器。
【請求項７】
収容器に収容する内容物は、芳香成分、消臭成分、アロマ成分で、ゲル状又は顆粒状又は個体又は液体からなり、液体物質を使用する場合は液体吸収パッドを入れることを特徴とする請求項１から請求項６の何れか一項に記載の芳香消臭剤収容器。
【請求項８】
中空チューブからなる既存のＣ字型男性器装着器具に芳香消臭成分を収容するカプセルを保持する専用のカプセルホルダーであって、該ホルダーは伸縮性のある合成樹脂の素材からなりその形状はＵ字状とＡ字状を組み合わせた変形Ｘ字状型で下部Ａ字状を該男性器装着具両端に取り付け上部Ｕ字状をホルダーとしてカプセルを保持することを特徴とする請求項１から請求項６の何れか一項に記載の芳香消臭剤収容器。
【請求項９】
既存のＣ字型男性器装着器具に芳香消臭成分を収容するカプセルを保持する装置において該Ｃ字型の両先端解放部に接続磁石を有しない該装着具にあっては該装着具に後付けできる構造で柔軟性の有る合成樹脂製の該カプセル保持装置をなし、該先端解放部に接続磁石を有する該既存男性装着具にあっては接続部磁石に接合する面のみが強磁性体素材からなる事を特徴とする芳香消臭剤収容器。